(57)【要約】      （修正有）【課題】設置する空間に応じて複数の収納ユニット本体を連結及び着脱自在とした。【解決手段】前方が開口され背面が遮蔽されている筒体の側面部に凹条が形成され、他方の側面部に凸条が形成され、下面部に凸条が形成され、上面部に凹条が形成された収納ユニット本体が相互に連結又は着脱自在に組み合わされ、前方より巻いたタオル等を挿入して収納することができるように構成され、収納ユニット本体の形状は任意の筒体で構成され、用途に応じた異なる寸法の収納ユニット本体でも容易に連結又は着脱自在に構成され、一方の収納ユニットの凹条に隣接する他方の収納ユニットの凸条が長手方向に嵌着又は離脱できるように構成され、任意に組合せできるように構成し、収納ユニット本体にはそれぞれ通気孔が形成され、互いに隣接する収納ユニットの通気孔が連通しており、開口前方の一部に収納するタオル等の用途を表記する表示プレートが設けられている。【選択図】図１
0003126174.tif 000002
【実用新案登録請求の範囲】
【請求項１】
前方が開口され背面が遮蔽されている筒体の側面部に凹条が形成され、他方の側面部に凸条が形成され、下面部に凸条が形成され、上面部に凹条が形成された収納ユニット本体が相互に連結又は着脱自在に組み合わされ、前方より巻いたタオル等を挿入して収納することができるように構成されたことを特徴とするタオル等収納ユニット。
【請求項２】
収納ユニット本体の形状は任意の筒体で構成され、用途に応じた異なる寸法の収納ユニット本体でも容易に連結又は着脱自在に構成され、一方の収納ユニットの凹条に隣接する他方の収納ユニットの凸条が長手方向に嵌着又は離脱できるように構成され、任意に組合せできるように構成したことを特徴とする請求項１記載のタオル等収納ユニット。
【請求項３】
収納ユニット本体にはそれぞれ通気孔が形成され、互いに隣接する収納ユニットの通気孔が連通しており、開口前方の一部に収納するタオル等の用途を表記する表示プレートが設けられていることを特徴とする請求項１記載のタオル等収納ユニット。
【考案の詳細な説明】
【技術分野】
【０００１】  本考案はタオル等収納ユニットに関し、特に設置する空間に応じて複数の収納ユニット本体を連結及び着脱自在としたタオル等収納ユニットに関する。
【背景技術】
【０００２】  一般に市販されている衣類や小物等を入れるケースは種々考案されており、洗面所や浴室の着替え所又はクローゼット内部に設置可能と思われる組立収納ケース等がある。【０００３】
【特許文献１】  特開昭６１−３３９２９号公報
【実用新案文献１】
登録実用新案公報第３０３７０２０号
【考案の開示】
【考案が解決しようとする課題】
【０００４】  前記せる特開昭６１−３３９２９号公報によれば、保管箱を組立てて積み重ねすることはできるが、タオル等は折りたたまれて保管箱内に収納されている。また、前記せる登録実用新案公報第３０３７０２０号によれば多段式の組立収納ケースであるが、収納物は折りたたんで収納するものである。
したがって、従来の収納ケースの欠点は、大きさや形状の異なるタオル等を収納するのに適しておらず、重ねて積まれたタオル等の中から一枚を取ろうとするとき、最上部にあるタオル等は片手で容易にとれるが、真ん中や他のタオル等に挟まれたタオル等を引っ張って取ろうとしても上下に積まれたタオル等が一緒に出てきてしまい、不便であった。
畳んで積まれたタオル等を取り出すときは両手で作業をすることになり、高齢者や身体に障害がある場合は、積み重ね式の保管は不適当であり、下の方に置かれたタオル等はほとんど使われなくなり衛生面からも不適当である。【０００５】  特に家族でタオル等を共用として使うと、例えば家族の一人が結膜炎等になっていると共用タオル等が菌を移す媒体となってしまうことがある。
【課題を解決するための手段】
【０００６】  本考案はこのような事情に鑑みてなされたものであり、タオル等をくるくると巻いて個々に収納ユニットに収納するものであり、前方が開口され背面が遮蔽されている筒体の側面部に凹条が形成され、他方の側面部に凸条が形成され、下面部に凸条が形成され、上面部に凹条が形成された収納ユニット本体が相互に連結又は着脱自在に組み合わされ、前方より巻いたタオル等を挿入して収納することができるように構成されたことを特徴とし、収納ユニット本体の形状は任意の筒体で構成され、用途に応じた異なる寸法の収納ユニット本体でも容易に連結又は着脱自在に構成され、一方の収納ユニットの凹条に隣接する他方の収納ユニットの凸条が長手方向に嵌着又は離脱できるように構成され、任意に組合せできるように構成したことを特徴とし、且つ、収納ユニット本体にはそれぞれ通気孔が形成され、互いに隣接する収納ユニットの通気孔が連通しており、開口前方の一部に収納するタオル等の用途を表記する表示プレートが設けられていることを特徴とするタオル等収納ユニットを提供するものである。
【考案の効果】
【０００７】  本考案のタオル等収納ユニットは、従来のように畳んで積み重ねるものではなく、くるくると巻いて個々に収納するものであるから、収納ユニット本体の寸法も、バスタオルやハンドタオルの大きさに応じて作成することができ、複数の収納ユニットの組合せも設置場所の空隙部の大きさに応じて組み合わせることができ、使いたい色や柄を使用者が一目でわかるようにすることができる。【０００８】  障害者の方が片手で出し入れできるので便利な用品とすることができ、表示プレートには、例えば、洗面用、トイレ用、来客用等の表示を設けることができ、一枚一枚単独で収納することができる。それぞれの収納ユニット本体には通気孔が設けられており、匂いがこもらない。図中通気孔は長方形に図示してあるが、この通気孔の形状も使用者の好みに応じてかわいらしい図形にすることもできる。【０００９】  クローゼットの中や部屋の空きスペースに載置することができ、タオル収納の専用家具としても使用することができ、収納ユニット本体の内側を丸く成型すれば埃が溜まりにくく清掃しやすい。【００１０】  また、本考案のタオル等収納ユニットは幅広く応用することができ、例えば、家族のパジャマ入れ、普段着入れ、Ｔシャツ入れなどにも応用できる。
【考案を実施するための最良の形態】
【００１１】  以下、図面に示す実施例に基づき、本考案の具体的な構成を説明する。
図面に於いて、図１は収納ユニット本体と巻いたタオルの斜視図、図２は同一寸法の収納ユニット本体を複数個連結した斜視図、図３は寸法の異なる収納ユニット本体を複数個連結した斜視図、図４は複数収納ユニット連結ブロックを積層する分解斜視図、図５は連結構造の他の実施例を示す斜視図、図６は断面がハニカム構造に連結された複数収納ユニット連結体である。【００１２】  図１に示すように、タオル１等をくるくると巻いて個々に収納ユニット本体２に収納するものであり、該収納ユニット本体２は、前方が開口され背面が遮蔽されている筒体からなり、その材質は合成樹脂、ステンレス、木材、ガラス等のいかなる材質も使用者の好みによって選択することができる。【００１３】  収納ユニット本体２の側面部には凹条２６が形成され、他方の側面部には凸条２４が形成され、下面部には凸条２２が形成され、上面部には凹条２８が形成されており、該収納ユニット本体２が相互に連結又は着脱自在に組み合わされるような機構になっており、前方より巻いたタオル１等を挿入して収納することができるように構成されている。【００１４】  図２乃至図３に示すように、収納ユニット本体２の形状は任意の筒体で構成され、用途に応じた異なる寸法の収納ユニット本体２でも容易に連結又は着脱自在に構成され、一方の収納ユニット本体２の凹条２６に隣接する他方の収納ユニットの凸条２２が長手方向に嵌着又は離脱できるように構成され、任意に組合せすることができる。【００１５】  収納ユニット本体２にはそれぞれ通気孔２９が形成され、互いに隣接する収納ユニットの通気孔が連通しており、また、図４に示すように、開口前方の一部に収納するタオル等の用途を表記する表示プレート６３が設けられている。【００１６】  図４に示す実施例では、複数収納ユニットブロック４，６が、連結部品５を介して積層されることを示している。すなわち、複数収納ユニットブロック４，６のそれぞれの四隅に設けられた孔部４２，６２に連結部材５の上下を挿入して２個の複数収納ユニットブロック４，６が積層されるようになっている。複数収納ユニットブロック４，６の数は設置場所の空きスペースによって調節することができる。【００１７】  複数収納ユニットブロック４，６にもそれぞれ通気孔４１，６１が形成されており、他の収納ユニット本体にも同様に通気孔が形成されている。【００１８】  図５に示す実施例では、図４に示すような連結部品を用いず、収納ユニット連結体７の角部に突起７１を設け、上積みされる収納ユニット連結体の底部がこれに嵌着する構造のものである。【００１９】  また、図６に示す実施例では複数の収納ユニット８が凸条８１及び凹条８２を介して組み合わされたものであるが、全体的な正面はハニカム状になっている。
すなわち、本考案のタオル等収納ユニットは任意の形状の筒体で構成されることが開示されており、この基本となる筒体の形状を如何に変更しても本考案の異本的な技術範囲に属するものである。【００２０】  以上説明したような本考案のタオル等収納ユニットによれば、前述する効果のほかにも様々な応用価値を有するものである。例えば、出勤前の身支度も予めセッティングされた本考案のタオル等収納ユニットを利用すれば機敏に用意することができる。例えば、下着類、ワイシャツ、靴下、ハンカチ等をセッティングすることができる。
【図面の簡単な説明】
【００２１】
【図１】収納ユニット本体と巻いたタオルの斜視図
【図２】同一寸法の収納ユニット本体を複数個連結した斜視図
【図３】寸法の異なる収納ユニット本体を複数個連結した斜視図
【図４】複数収納ユニット連結ブロックを積層する分解斜視図
【図５】連結構造の他の実施例を示す斜視図
【図６】断面がハニカム構造に連結された複数収納ユニット連結体
【符号の説明】
【００２２】  １  タオル
２  収納ユニット本体
２１  下面部
２２  凸条
２３  側面部
２４  凸条
２５  側面部
２６  凹条
２７  上面部
２８  凹条
２９  通気孔
３  収納ユニット
４  複数収納ユニット連結ブロック
４１  通気孔
４２  孔部
５  連結部品
６  複数収納ユニット連結ブロック
６１  通気孔
６２  孔部
６３  表示プレート
７  収納ユニット連結体
７１  突起
８  収納ユニット連結体
８１  凸条
８２  凹条
【図１】
0003126174.tif 000003
【図２】
0003126174.tif 000004
【図３】
0003126174.tif 000005
【図４】
0003126174.tif 000006
【図５】
0003126174.tif 000007
【図６】
0003126174.tif 000008